(57)【特許請求の範囲】
【請求項１】
ドラムのシェルに固定されたラグと、前記ラグに螺合されるラグボルトと、前記ラグボルトの頭部に設けられ、前記シェルの開口端に外装されるフープに係止されるフックとを備え、前記フープに前記フックを係止して前記ラグボルトを前記ラグに締め付けることにより、前記シェルの開口端を閉塞するドラムヘッドが前記フープを介して前記シェルに装着されるドラムヘッド締付装置において、
前記ラグボルトに装着され、前記ラグボルトに対する前記フックの位置を保持するための保持部材を備え、
前記保持部材は、前記ラグボルトの頭部との間に前記フックを介装した状態で前記ラグボルトに装着されていることを特徴とするドラムヘッド締付装置。
【請求項２】
請求項１記載のドラムヘッド締付装置は、更に
前記ラグボルトに装着され、前記ラグに締め付けられた状態から緩まないように前記ラグボルトを保持するための緩み止めを備えていることを特徴とするドラムヘッド締付装置。
【請求項３】
請求項２記載のドラムヘッド締付装置において、
前記保持部材は、前記フックとの間に前記緩み止めを介装した状態で前記ラグボルトに装着されていることを特徴とするドラムヘッド締付装置。
【請求項４】
請求項２又は３記載のドラムヘッド締付装置において、
前記緩み止めは、前記ラグボルトが挿通される挿通孔を有する弾性部材からなることを特徴とするドラムヘッド締付装置。
【請求項５】
請求項４記載のドラムヘッドの締付装置において、
前記保持部材は弾性部材からなることを特徴とするドラムヘッド締付装置。
【請求項６】
請求項１〜５のうちいずれか一項に記載のドラムヘッド締付装置において、
前記ラグは、前記ラグボルトが螺合されるラグナットを備え、
前記ラグには、前記ラグナットが支持される支持凹部が設けられ、
前記支持凹部は、前記シェルの軸線に向かって延び、
前記ラグナットは、前記支持凹部内を移動可能に支持されていることを特徴とするドラムヘッド締付装置。
【請求項７】
請求項６記載のドラムヘッド締付装置において、
前記各支持凹部は、前記シェルの開口端に向かって傾斜していることを特徴とするドラムヘッド締付装置。
【請求項８】
請求項２〜５のうちいずれか一項に記載のドラムヘッド締付装置において、
前記緩み止めは、前記フープの外周面に当接される当接面を有し、
前記当接面は、前記フープの外周面に対し凸状に形成されていることを特徴とするドラムヘッド締付装置。
【請求項９】
請求項４又は５記載のドラムヘッド締付装置において、
前記緩み止めの挿通孔の内径は、前記ラグボルトの断面直径よりも大きく設定されていることを特徴とするドラムヘッド締付装置。
【請求項１０】
請求項１〜９のうちいずれか一項に記載のドラムヘッド締付装置において、
前記ラグボルトは、前記フックを前記フープから接離させるよう前記ラグに対し回動可能に取り付けられていることを特徴とするドラムヘッド締付装置。
【請求項１１】
請求項１０記載のドラムヘッド締付装置は、更に
前記ラグに対するラグボルトの回動位置を保持するための保持手段を備えていることを特徴とするドラムヘッド締付装置。
【請求項１２】
請求項６又は７記載のドラムヘッド締付装置を利用したドラムの支持装置であって、
シェルの外周面に設けられた複数のドラムヘッド締付装置と、
前記各ドラムヘッド締付装置に連結されるアームと、
前記アームを介して前記ドラムを支持するシャフトとを備え、
前記ラグボルトは、前記ラグナットと共に前記ラグに対し回動可能に支持され、
前記ラグナットは、前記ラグナットの回動軸に沿って延び、
前記ラグナットの少なくとも一方の端部は、前記ラグの側面から突出され、
前記ラグから突出されたラグナットの端部には、防振ゴムが装着され、
前記アームは、前記防振ゴムを介して、前記各ドラムヘッド締付装置に連結されていることを特徴とするドラムの支持装置。
【請求項１３】
円筒状のシェルと、前記シェルの上下の開口端をそれぞれ閉塞する一対のドラムヘッドと、前記シェルに固定されたラグと、前記ラグに螺合されるラグボルトと、前記ラグボルトの頭部に設けられ、前記シェルの開口端に外装されるフープに係止されるフックとを備え、前記フープに前記フックを係止して前記ラグボルトを前記ラグに締め付けることにより、前記ドラムヘッドが前記フープを介して前記シェルに装着されるドラムにおいて、
前記ラグボルトに装着され、前記ラグボルトに対する前記フックの位置を保持するための保持部材を備え、
前記保持部材は、前記ラグボルトの頭部との間に前記フックを介装した状態で前記ラグボルトに装着されていることを特徴とするドラム。
【発明の詳細な説明】
【技術分野】
【０００１】
本発明は、ドラムヘッド締付装置、そのドラムヘッド締付装置を備えたドラムの支持装置、及びドラムに関する。
【背景技術】
【０００２】
一般に、ドラムは、円筒状のシェルと、シェルの開口端を塞ぐドラムヘッドと、シェルの開口端に外装されるフープと、シェルの外周面に設けられた複数のラグとを備えている。ドラムヘッドは、各ラグにラグボルトを締め付けることにより、フープを介してシェルに装着される。このため、ドラムヘッドを交換するには、全てのラグボルトを緩めてラグから外したり、また、全てのラグボルトをラグに締め付けたりする必要がある。よって、ドラムヘッドの交換は、非常に面倒で、かつ手間のかかる作業である。このような事情から、例えば、特許文献１〜５に開示されるように、ラグボルトをラグナットから外すことなく、ドラムヘッドの交換を行えるようにした装置が提案されている。特許文献１〜３には、シェルの外周面に設けられたベース部と、そのベース部に対し着脱可能に構成されたラグとを備えた装置が開示されている。また、特許文献４又は５には、シェルの外周面に設けられたラグ及びラグボルトと、ラグボルトの頭部に設けられ、フープに係止されるフックとを備えた装置が開示されている。
【特許文献１】特開２００４−１５１７１０号公報
【特許文献２】米国特許第４６９３１６３号明細書
【特許文献３】米国特許第３５３３３２４号明細書
【特許文献４】実公昭５９−１２６０号公報
【特許文献５】米国特許第４５８３４４２号公報
【発明の開示】
【発明が解決しようとする課題】
【０００３】
ところが、特許文献１〜３に開示の装置によれば、ドラムヘッドの交換時、複数のラグボルトとナットとがフープに吊り下げられた状態になる。この場合、シェルから取り外されたフープのラグボルトやラグナットが互いに干渉し合うため、フープを床面や台の上などに置き難いという問題がある。また、ドラムヘッドを取り付ける場合、フープから吊り下げられたラグボルトやラグナットが、ドラムヘッドのヘッド面やシェルの周面を傷付けることがある。更には、全てのラグナットをシェルの各ベース部に対しそれぞれ接続するのに非常に手間がかかるという問題もある。一方、特許文献４又は５に開示の装置によれば、フープに係止されるフックがラグボルトに設けられており、それにより、シェルに対するドラムヘッドの着脱し易さが改善されている。しかしながら、これらの文献に開示の装置によれば、フープにフックを係止するとき、ラグボルトに対してフックが滑り落ちてしまうため、依然として、ラグボルトの仮締めに手間がかかるという問題が存在している。
【０００４】
本発明は、このような問題に鑑みてなされたものであり、その目的は、ドラムヘッドの交換を容易に行うことのできるドラムヘッド締付装置、そのドラムヘッド締付装置を備えたドラムの支持装置、及びドラムを提供することにある。
【課題を解決するための手段】
【０００５】
上記の目的を達成するために、請求項１に記載の発明は、ドラムのシェルに固定されたラグと、ラグに螺合されるラグボルトと、ラグボルトの頭部に設けられ、シェルの開口端に外装されるフープに係止されるフックとを備え、フープにフックを係止してラグボルトをラグに締め付けることにより、シェルの開口端を閉塞するドラムヘッドがフープを介してシェルに装着されるドラムヘッド締付装置において、ラグボルトに装着され、ラグボルトに対するフックの位置を保持するための保持部材を備え、保持部材は、ラグボルトの頭部との間にフックを介装した状態でラグボルトに装着されていることを要旨とする。
【０００６】
この構成によれば、ドラムヘッドの交換のためフープからフックを外したとしても、保持部材によって、ラグボルトに対して滑り落ちないようにフックを保持することができる。これにより、ラグボルトの仮締めを簡単に行うことができ、ひいてはドラムヘッドの交換を円滑に行うことができる。
【０００７】
請求項２に記載の発明は、請求項１記載の発明において、ラグボルトに装着され、ラグに締め付けられた状態から緩まないようにラグボルトを保持するための緩み止めを備えていることを要旨とする。
【０００８】
この構成によれば、緩み止めによって、ラグに締め付けられた状態から緩まないようにラグボルトを保持することができる。これにより、例えば、ドラムの演奏中に、ドラムヘッドの張力が低下することを極力抑制することができる。
【０００９】
請求項３に記載の発明は、請求項２記載の発明において、保持部材は、フックとの間に緩み止めを介装した状態でラグボルトに装着されていることを要旨とする。
この構成によれば、保持部材により、ラグボルトに対して滑り落ちないようにフックと共に緩み止めも保持することができる。
【００１０】
請求項４に記載の発明は、請求項２又は３記載の発明において、緩み止めは、ラグボルトが挿通される挿通孔を有する弾性部材からなることを要旨とする。
この構成によれば、緩み止めを弾性変形させることにより、ラグボルトと挿通孔の内周面とを密着させることができる。これにより、ラグボルトと緩み止めとの間に摩擦力が生じ、その摩擦力により、ラグに締め付けられた状態から緩まないようにラグボルトを保持することができる。
【００１１】
請求項５に記載の発明は、請求項４記載の発明において、保持部材は弾性部材からなることを要旨とする。
この構成によれば、保持部材と緩み止めとを弾性材料により一体形成することができる。これにより、装置全体の部品点数を少なくすることができ、ひいては組み付け工数の増加も抑えることができる。
【００１２】
請求項６に記載の発明は、請求項１〜５のうちいずれか一項に記載の発明において、ラグは、ラグボルトが螺合されるラグナットを備え、ラグには、ラグナットが支持される支持凹部が設けられ、支持凹部は、シェルの軸線に向かって延び、ラグナットは、支持凹部内を移動可能に支持されていることを要旨とする。
【００１３】
この構成によれば、ラグナットは、支持凹部内を移動可能に支持されている。これにより、各ラグボルトをラグに締め付ける際、支持凹部内でのラグナットの位置が調整されて、シェル、ヘッド枠、フープなどの寸法誤差に起因して生じるフックとフープとの片当たりや、各フックと各ラグボルトとの片当たりなどを抑制することができる。よって、ラグボルトの無理な締め付けによるドラムの破損を回避することができる。
【００１４】
請求項７に記載の発明は、請求項６記載の発明において、各支持凹部は、シェルの開口端に向かって傾斜していることを要旨とする。
この構成によれば、支持凹部がシェルの開口端に向かって傾斜しているため、ラグボルトの締め付けによりフックとラグナットとが互いに接近するのに伴い、ラグナットは、支持凹部内をシェルの開口端に向かって円滑に移動することができる。つまり、ラグナットが支持凹部内を円滑に移動することから、支持凹部内でのラグナットの位置調整を容易に行うことができる。
【００１５】
請求項８に記載の発明は、請求項２〜５のうちいずれか一項に記載の発明において、緩み止めは、フープの外周面に当接される当接面を有し、当接面は、フープの外周面に対し凸状に形成されていることを要旨とする。
【００１６】
この構成によれば、緩み止めの当接面は弾性を有すると共に、フープの外周面に対し凸状に形成されている。この場合、ラグボルトの締め付けによりフックがシェルの軸線に向かって接近するのに伴い、緩み止めの当接面がフープにより押圧されて弾性変形する。このような緩み止めの弾性変形に伴い、ラグボルトと緩み止めの挿通孔の内周面とを密着させることができる。そのため、ラグボルトと緩み止めとの間に摩擦力が生じ、その摩擦力により、ラグに締め付けられた状態から緩まないようにラグボルトを保持することができる。
【００１７】
請求項９に記載の発明は、請求項４又は５記載の発明において、緩み止めの挿通孔の内径は、ラグボルトの断面直径よりも大きく設定されていることを要旨とする。
この構成によれば、ラグボルトの締め付け開始直後は、緩み止めの挿通孔に遊挿された状態でラグボルトが保持されているため、ラグボルトを手で回して、ラグに締め付けることができる。一方、ラグボルトを所定量以上締め付けた後、ラグボルトの工具による締め付けにより、緩み止めの当接面がフープにより押圧されて弾性変形する。このような緩み止めの弾性変形に伴い、ラグボルトの外周面に挿通孔の内周面が押し付けられて、ラグボルトと緩み止めとの間の摩擦力が生じる。そして、その摩擦力によって、ラグナットに締め付けられた状態から緩まないようにラグボルトを保持することができる。このような手順を踏むことにより、ラグボルトの仮締めをより簡単に、かつ短時間で行うことができ、ひいてはドラムヘッドの交換をより一層円滑に行うことができる。
【００１８】
請求項１０に記載の発明は、請求項１〜９のうちいずれか一項に記載の発明において、ラグボルトは、フックをフープから接離させるようラグに対し回動可能に取り付けられていることを要旨とする。
【００１９】
この構成によれば、フープからフックを外した後、ラグに対しラグボルトを回動させることで、フープからフックを引き離すことができる。これにより、ラグボルトとフープとの干渉を回避することができ、ひいてはフープをシェルから取り外し易くすることができる。
【００２０】
請求項１１に記載の発明は、請求項１０記載の発明において、ラグに対するラグボルトの回動位置を保持するための保持手段を備えていることを要旨とする。
この構成によれば、保持手段によって、ラグに対するラグボルトの回動位置を保持することができる。これにより、ドラムヘッドの交換のためフープからフックを外したとしても、ラグボルトが内側に倒れないように保持することができる。よって、ラグボルトとフープとの干渉を回避することができ、ひいてはシェルの開口端にフープを容易に取り付けることができる。
【００２１】
請求項１２に記載の発明は、請求項６又は７記載の発明を利用したドラムの支持装置であって、シェルの外周面に設けられた複数のドラムヘッド締付装置と、各ドラムヘッド締付装置に連結されるアームと、アームを介してドラムを支持するシャフトとを備え、ラグボルトは、ラグナットと共にラグに対し回動可能に支持され、ラグナットは、ラグナットの回動軸に沿って延び、ラグナットの少なくとも一方の端部は、ラグの側面から突出され、ラグから突出されたラグナットの端部には、防振ゴムが装着され、アームは、防振ゴムを介して、各ドラムヘッド締付装置に連結されていることを要旨とする。
【００２２】
この構成によれば、ラグナットの端部に装着された防振ゴムによって、ドラムから支持装置への振動漏れを抑止することができ、ひいてはドラムの音を響かせることができる。また、各ドラムヘッド締付装置を構成するラグナットを利用したドラムの支持装置を提供することもできる。
【００２３】
請求項１３に記載の発明は、円筒状のシェルと、シェルの上下の開口端をそれぞれ閉塞する一対のドラムヘッドと、シェルに固定されたラグと、ラグに螺合されるラグボルトと、ラグボルトの頭部に設けられ、シェルの開口端に外装されるフープに係止されるフックとを備え、フープにフックを係止してラグボルトをラグに締め付けることにより、ドラムヘッドがフープを介してシェルに装着されるドラムにおいて、ラグボルトに装着され、ラグボルトに対するフックの位置を保持するための保持部材を備え、保持部材は、ラグボルトの頭部との間にフックを介装した状態でラグボルトに装着されていることを要旨とする。
【００２４】
この構成によれば、ドラムヘッドの交換を円滑に行うことのできるドラムを提供することができる。
【発明の効果】
【００２５】
本発明によれば、ドラムヘッドの交換を容易に行うことのできるドラムヘッド締付装置、そのドラムヘッド締付装置を備えたドラムの支持装置、及びドラムを提供することができる。
【発明を実施するための最良の形態】
【００２６】
以下、本発明に係るドラムヘッド締付装置を具体化した一実施形態について、図１〜図７を参照して説明する。
図１に示すように、ドラム１０は、円筒状のシェル１１と、シェル１１の開口端を塞ぐドラムヘッド１２と、シェル１１の開口端に外装されるフープ１３と、複数のドラムヘッド締付装置２０とを備えている。各ドラムヘッド締付装置２０は、シェル１１の外周面に等間隔を置いて設けられている。ドラムヘッド１２は、各ドラムヘッド締付装置２０により、フープ１３を介してシェル１１の開口端に締め付けられている。また、各ドラムヘッド締付装置２０を操作することにより、ドラムヘッド１２の張力が変更されて、ドラム１０の音調が調節される。
【００２７】
図１及び図４（ａ）に示すように、ドラムヘッド締付装置２０は、シェル１１の外周面に固定されるラグ２１と、ラグ２１に締め付けられるラグボルト２２と、フープ１３に係止されるフック２３とを備えている。ラグ２１は金属からなり、縦方向に沿って延びる略直方体状に形成されている。ラグ２１は、シェル１１の内側から２本のボルト２５によって、シェル１１の外周面に固定されている。ラグ２１には、ラグボルト２２の下端部が配置される配置穴２１ａが設けられている。配置穴２１ａは、ラグ２１の上面から下方に向かって延びている。また、配置穴２１ａは、配置穴２１ａ内でのラグボルト２２の回動を許容するため、ラグボルト２２の回動方向に沿って延びている。
【００２８】
図２及び図３に示すように、ラグ２１には、支持凹部としての横孔２１ｂが形成されている。横孔２１ｂは、ラグ２１の一方の側面から他方の側面まで貫通している。横孔２１ｂは、シェル１１の開口端に向かって延びている。また、横孔２１ｂは、シェル１１の開口端に向かって傾斜している。図２に示す水平線Ｃ２に対する横孔２１ｂの傾斜角度θは、２０°〜１０°の範囲であり、好ましくは、１５°に設定されている。なお、水平線Ｃ２は、横孔２１ｂの軸線Ｃ３及びシェル１１の軸線Ｃ１に直交する直線である。
【００２９】
ラグ２１の横孔２１ｂには、円柱状のラグナット２６がその軸線を中心として回動可能に支持されている。また、ラグナット２６は、ラグ２１の横孔２１ｂをシェル１１の開口端に向かって移動可能に支持されている。ラグナット２６の各端面２６ｃは、対応するラグ２１の側面２１ｃとほぼ面一に配置されている。ラグナット２６の中央には、ラグボルト２２の下端部と螺合するねじ孔２６ａが形成されている。また、ラグナット２６の各端部には、ラグナット２６の外周面に沿って延びる溝２６ｂが環状に設けられている。ラグナット２６の各溝２６ｂには、保持手段としてのＯリング２８が設けられている。ラグナット２６は、Ｏリング２８を横孔２１ｂの内周面に密着させた状態で支持されている。
【００３０】
図４及び図５に示すように、ラグボルト２２は、ラグナット２６に螺合されるねじ部２２ａと、フック２３が取り付けられる取付部２２ｂと、トルクレンチなどの工具により把持される頭部２２ｃとからなる。ラグボルト２２は、ラグナット２６を介して、ラグ２１に対し回動可能に取り付けられている。ラグボルト２２は、ラグナット２６の軸線Ｃ３（図３参照）を支点として回動することにより、フック２３をフープ１３に係止させることのできる第１の位置と、フック２３をフープ１３から離間させる第２の位置とに配置可能である。なお、第１の位置では、ラグボルト２２は、図４（ａ）に示すように、ラグ２１に対し直立した状態に支持されている。一方、第２の位置では、ラグボルト２２は、図５（ａ）に示すように、ラグ２１に対し傾斜した状態に支持されている。また、ラグボルト２２は、ラグナット２６を介して、シェル１１の開口端に向かって移動可能に支持されている。
【００３１】
フック２３は、下面とフープ１３に面する内側面とが開口した略箱状のケース部２３ａと、ケース部２３ａの上壁に設けられた爪部２３ｂとからなる。フック２３の爪部２３ｂは、フープ１３の外周面に設けられた被係止部１３ｂに係止される。爪部２３ｂは、ケース部２３ａの上壁の内縁を下方に折り曲げて形成されている。ケース部２３ａの上壁には、ラグボルト２２が遊挿される挿通孔２３ｃが設けられている。
【００３２】
ケース部２３ａ内には、弾性部材としてのゴム片からなる緩み止め３０が設けられている。緩み止め３０は、その外側面に突起３０ａを有している。緩み止め３０は、その突起３０ａをケース部２３ａの孔に嵌入させることで、ケース部２３ａから落下しないように保持されている。緩み止め３０は、フック２３の挿通孔２３ｃと対応する位置に、ラグボルト２２が遊挿される挿通孔３０ｃを有している。緩み止め３０の挿通孔３０ｃの内径は、ラグボルト２２の取付部２２ｂの断面直径よりも大きく設定されている。また、図５（ｂ）に示すように、緩み止め３０は、フープ１３の外周面に当接される当接面３０ｂを有している。緩み止め３０の当接面３０ｂは、フープ１３の外周面に対し凸状に形成されている。緩み止め３０の当接面３０ｂは、円弧に沿った滑らかな曲面である。
【００３３】
図５（ａ），（ｂ）に示すように、ラグボルト２２は、フック２３の挿通孔２３ｃ及び緩み止め３０の挿通孔３０ｃにそれぞれ遊挿されている。本実施形態において、ドラムヘッド締付装置２０は、ラグボルト２２対するフック２３の位置を保持するための保持部材４０を備えている。保持部材４０は、ラグボルト２２の頭部２２ｃとの間にフック２３及び緩み止め３０を介装した状態で、ラグボルト２２のねじ部２２ａに装着されている。詳しくは、保持部材４０は、ラグボルト２２の頭部２２ｃとの間にフック２３を介装し、かつフック２３との間に緩み止め３０を介装した状態で装着されている。つまり、保持部材４０は、フック２３及び緩み止め３０を下方から支持するように装着されている。保持部材４０は、弾性部材としてのゴム片からなり、リング状に形成されている。保持部材４０は、保持部材４０の弾性力によって、ラグボルト２２の外周面と密着している。
【００３４】
次に、上記のドラムヘッド締付装置２０の作用について図２、図４及び図５を参照して説明する。ここでは、ドラムヘッド１２の交換のため、ドラムヘッド１２をシェル１１から取り外すときの操作について説明する。
【００３５】
まず、図４（ａ）に示すようにラグナット２６に締め付けられた状態から、工具を用いて、全てのラグボルト２２を緩める。これにより、ラグナット２６に対してラグボルト２２が上方に移動して、保持部材４０により支持されたフック２３もラグボルト２２と共に上方に移動する。ラグボルト２２が上方に所定量以上移動することにより、フック２３の爪部２３ｂがフープ１３の被係止部１３ｂから外される。その後、図５（ａ）に示すように、ラグボルト２２を外方（図５（ａ）に示すＰ方向）に回動させて、フック２３の爪部２３ｂをフープ１３の被係止部１３ｂから引き離す。このときも、フック２３は、ラグボルト２２に装着された保持部材４０により、ラグボルト２２に対して滑り落ちないように保持されている。この状態で、フープ１３がドラムヘッド１２のヘッド枠１２ａから取り外され、ドラムヘッド１２がシェル１１の開口端から取り外される。
【００３６】
次に、ドラムヘッド１２をシェル１１に装着するときの操作について説明する。ドラムヘッド１２をシェル１１の開口端を塞ぐように配置する。次に、フープ１３の下面をヘッド枠１２ａの上面に当接させるように、フープ１３をドラムヘッド１２に上方から嵌め込む。続いて、ラグボルト２２を内方（図５（ａ）に示すＱ方向）に回動させて、フック２３の爪部２３ｂをフープ１３の被係止部１３ｂの直上にまで移動させる。この状態では、ラグボルト２２は、図５（ｂ）に示すように、緩み止め３０との間に隙間を空けて保持されている。このため、ラグボルト２２を手で回して、ラグナット２６に締め付けることができる。
【００３７】
ラグボルト２２を所定量以上締め付けた後、トルクレンチなどの工具を用いて、ラグボルト２２をラグナット２６に締め付ける。このラグボルト２２の締め付けにより、フック２３とラグナット２６とが互いに接近する。これにより、ラグナット２６に対してラグボルト２２が下方に移動して、保持部材４０により支持されたフック２３もラグボルト２２と共に下方に移動する。ラグボルト２２が下方に所定量以上移動することにより、図４（ａ）に示すように、フック２３の爪部２３ｂがフープ１３の被係止部１３ｂに係止される。このとき、ラグナット２６は、図２に示すラグ２１の横孔２１ｂ内を、シェル１１の軸線Ｃ１に向かって移動する。具体的には、ラグナット２６は、水平線Ｃ２に対し傾斜角度θをなす直線Ｃ４上を、図２に示すＲ方向に沿って移動する。
【００３８】
このようなラグナット２６の移動と共に、ラグボルト２２及びフック２３もシェル１１の軸線Ｃ１に向かって移動する。すると、図４（ｂ）に示すように、フック２３に保持された緩み止め３０の当接面３０ｂがフープ１３の外周面に当接される。その後、ラグボルト２２を更に締め付けることにより、緩み止め３０の当接面３０ｂがフープ１３により押圧されて弾性変形する。このような緩み止め３０の弾性変形に伴い、ラグボルト２２の外周面に緩み止め３０の挿通孔３０ｃの内周面が押し付けられて、ラグボルト２２の外周面と挿通孔３０ｃの内周面とが互いに密着するようになる。これにより、ラグボルト２２と緩み止め３０との間に摩擦力が生じ、その摩擦力により、ラグボルト２２はラグナット２６に締め付けられた状態から緩まないように保持される。
【００３９】
本実施形態によれば、以下のような効果を得ることができる。
（１）ドラムヘッド締付装置２０は、ラグボルト２２に対するフック２３の位置を保持するための保持部材４０を備えている。保持部材４０は、ラグボルト２２の頭部２２ｃとの間にフック２３を介装した状態で、ラグボルト２２のねじ部２２ａに装着されている。この構成によれば、ドラムヘッド１２の交換のためフープ１３からフック２３を外したとしても、保持部材４０によって、ラグボルト２２に対して滑り落ちないようにフック２３を保持することができる。これにより、ラグボルト２２の仮締めを簡単に行うことができ、ひいてはドラムヘッド１２の交換を円滑に行うことができる。
【００４０】
（２）フック２３のケース部２３ａ内には、緩み止め３０が設けられている。この構成によれば、緩み止め３０によって、ラグ２１に締め付けられた状態から緩まないようにラグボルト２２を保持することができる。これにより、例えば、ドラム１０の演奏中に、ドラムヘッド１２の張力が低下することを極力抑制することができる。
【００４１】
（３）保持部材４０は、フック２３との間に緩み止め３０を介装した状態で装着されている。この構成によれば、保持部材４０により、ラグボルト２２に対して滑り落ちないようにフック２３と共に緩み止め３０も保持することができる。
【００４２】
（４）緩み止め３０は、ラグボルト２２が遊挿される挿通孔３０ｃを有している。この構成によれば、緩み止め３０を弾性変形させることにより、ラグボルト２２と挿通孔３０ｃの内周面とを密着させることができる。これにより、ラグボルト２２と緩み止め３０との間に摩擦力が生じ、その摩擦力により、ラグ２１に締め付けられた状態から緩まないようにラグボルト２２を保持することができる。
【００４３】
（５）横孔２１ｂは、シェル１１の軸線Ｃ１に向かって延びている。そして、ラグナット２６は、横孔２１ｂ内を移動可能に支持されている。この構成によれば、各ラグボルト２２をラグ２１に締め付ける際、横孔２１ｂでのラグナット２６の位置が調整されて、シェル１１、ヘッド枠１２ａ、フープ１３などの寸法誤差に起因して生じるフック２３とフープ１３との片当たりや、各フック２３と各ラグボルト２２との片当たりなどを抑制することができる。よって、ラグボルト２２の無理な締め付けによるドラム１０の破損を回避することができる。
【００４４】
（６）横孔２１ｂは、シェル１１の開口端に向かって傾斜している。この構成によれば、ラグボルト２２の締め付けによりフック２３とラグナット２６とが互いに接近するのに伴い、ラグナット２６は、横孔２１ｂ内をシェル１１の開口端に向かって円滑に移動することができる。つまり、ラグナット２６が横孔２１ｂ内を円滑に移動することから、横孔２１ｂ内でのラグナット２６の位置調整を容易に行うことができる。
【００４５】
（７）緩み止め３０の当接面３０ｂは、フープ１３の外周面に対し凸状に形成されている。この構成によれば、緩み止め３０の当接面３０ｂは弾性を有すると共に、フープ１３の外周面に対し凸状に形成されている。この場合、ラグボルト２２の締め付けによりフック２３がシェル１１の軸線Ｃ１に向かって接近するのに伴い、緩み止め３０の当接面３０ｂがフープ１３により押圧されて弾性変形する。このような緩み止め３０の弾性変形に伴い、ラグボルト２２と緩み止め３０の挿通孔３０ｃの内周面とを密着させることができる。そのため、ラグボルト２２と緩み止め３０との間に摩擦力が生じ、その摩擦力により、ラグ２１に締め付けられた状態から緩まないようにラグボルト２２を保持することができる。
【００４６】
（８）緩み止め３０の挿通孔３０ｃの内径は、ラグボルト２２の取付部２２ｂの断面直径よりも大きく設定されている。この構成によれば、ラグボルト２２の締め付けを開始した直後は、緩み止め３０の挿通孔３０ｃに遊挿された状態でラグボルト２２が保持されているため、ラグボルト２２を手で回して、ラグナット２６に締め付けることができる。一方、ラグボルト２２を所定量以上締め付けた後、ラグボルト２２の工具による締め付けにより、緩み止め３０の当接面３０ｂがフープ１３により押圧されて弾性変形する。これにより、ラグボルト２２の外周面に挿通孔３０ｃの内周面が押し付けられて、ラグボルト２２と緩み止め３０との間の摩擦力が生じる。そして、その摩擦力によって、ラグナット２６に締め付けられた状態から緩まないようにラグボルト２２を保持することができる。このような手順を踏むことにより、ラグボルト２２の仮締めをより簡単に、かつ短時間で行うことができ、ひいてはドラムヘッド１２の交換をより一層円滑に行うことができる。
【００４７】
（９）ラグボルト２２は、フック２３をフープ１３から接離させるようラグ２１に対し回動可能に取り付けられている。この場合、フープ１３からフック２３を外した後、ラグ２１に対しラグボルト２２を回動させることで、フープ１３からフック２３を引き離すことができる。これにより、ラグボルト２２とフープ１３との干渉を回避することができ、ひいてはフープ１３をシェル１１から取り外し易くすることができる。
【００４８】
（１０）ラグナット２６の各溝２６ｂには、保持手段としてのＯリング２８が設けられている。この構成によれば、Ｏリング２８によって、ラグ２１に対するラグボルト２２の回動位置を保持することができる。これにより、ドラムヘッド１２の交換のためフープ１３からフック２３を外したとしても、ラグボルト２２が内側に倒れないように保持することができる。よって、ラグボルト２２とフープ１３との干渉を回避することができ、ひいてはシェル１１の開口端にフープ１３を容易に装着することができる。
【００４９】
なお、上記実施形態は以下のように変更してもよい。
・本実施形態において、上記のドラムヘッド締付装置２０を利用して、図６〜図８に示すようなドラム１０の支持装置を形成することもできる。図６〜図８に示すように、支持装置としてのドラムサポートシステム８０は、シェル１１に設けられた３つのドラムヘッド締付装置２０と、各ドラムヘッド締付装置２０を介してシェル１１に連結されるアーム８１と、アーム８１を介してドラム１０を支持するシャフト８２とを備えている。ラグボルト２２は、ラグナット８６と共にラグ２１に対し回動可能に支持されている。ラグナット８６は、ラグナット８６の回動軸に沿って延びる円柱状に形成されている。ラグナット８６の各端部は、ラグ２１の側面から外方にそれぞれ突出されている。各ドラムヘッド締付装置２０は、ラグナット８６の各端部に装着された一対の防振ゴム８７を備えている。アーム８１は、両端部と中央部との３箇所において、各ドラムヘッド締付装置２０の防振ゴム８７にホルダ８８を介してそれぞれ連結されている。アーム８１の中央には、シャフト８２が装着される装着具８９が設けられている。装着具８９には、シャフト８２が挿通される挿通孔８９ａと、挿通孔８９ａにシャフト８２を固定するための固定ねじ９０とが設けられている。この固定ねじ９０を操作することにより、シャフト８２に対するドラム１０の高さを調節することができる。この構成によれば、ラグナット８６の端部に装着された防振ゴム８７によって、ドラム１０からドラムサポートシステム８０などへの振動漏れを抑止することができ、ひいてはドラムの音を響かせることができる。また、各ドラムヘッド締付装置２０を構成するラグナット２６を利用したドラムサポートシステム８０を提供することもできる。なお、図６〜図８に示す例において、アーム８１に連結されるドラムヘッド締付装置２０の数は２箇所であってもよい。
【００５０】
・本実施形態において、緩み止め３０を省略してもよい。この場合、保持部材４０とラグボルト２２との間に生じる摩擦力を利用することで、保持部材４０に緩み止め３０としての機能を持たせてもよい。
【００５１】
・本実施形態において、緩み止め３０をゴム以外の材料、例えば、樹脂などにより形成してもよい。また、保持部材４０をゴム以外の材料、例えば、樹脂や金属やセラミックスなどにより形成してもよい。更には、保持部材４０として、ｅリングやナットなどの締結部材を用いることもできる。
【００５２】
・本実施形態において、緩み止め３０及び保持部材４０はいずれもゴム片からなるものの、それぞれ別部品として形成されている。しかし、保持部材４０及び緩み止め３０をゴムなどの弾性材料により一体形成することもできる。このようにすれば、ドラムヘッド締付装置２０全体の部品点数を少なくすることができ、ひいては組み付け工数の増加も抑えることができる。
【００５３】
・本実施形態において、緩み止め３０の当接面３０ｂの形状は平担面、又はフープ１３に対し凹状に形成された曲面であってもよい。
・本実施形態において、緩み止め３０の挿通孔３０ｃの直径はラグボルト２２の断面直径と同じか、それよりも小さく設定してもよい。
【００５４】
・本実施形態において、保持手段としてのＯリングを省略してもよい。
【図面の簡単な説明】
【００５５】
【図１】本実施形態のドラムヘッド締付装置が適用されたドラムを示す部分斜視図。
【図２】ドラムヘッド締付装置を示す側面図。
【図３】図２の３−３線に沿った部分断面図。
【図４】（ａ）はフックがフープに係止された状態を示すドラムヘッド締付装置の縦断面図、（ｂ）は図４（ａ）の４ｂ−４ｂ線に沿った横断面図。
【図５】（ａ）はフックがフープから外れた状態を示すドラムヘッド締付装置の縦断面図、（ｂ）は図５（ａ）の５ｂ−５ｂ線に沿った横断面図。
【図６】本実施形態のドラムヘッド締付装置を利用したドラムサポートシステムを示す斜視図。
【図７】ドラムヘッドサポートシステムの上面図。
【図８】図７の８−８線に沿った部分断面図。
【符号の説明】
【００５６】
Ｃ１…シェルの軸線、１０…ドラム、１１…シェル、１２…ドラムヘッド、１３…フープ、２０…ドラムヘッド締付装置、２１…ラグ、２１ｂ…横孔（支持凹部）、２１ｃ…側面、２２…ラグボルト、２２ｃ…頭部、２３…フック、２３ｃ…挿通孔、２６…ラグナット、２８…Ｏリング（保持手段）、３０…緩み止め、３０ｃ…挿通孔、３０ｂ…当接面、３０ｃ…挿通孔、４０…保持部材、８１…アーム、８２…シャフト、８７…防振ゴム。
【図１】
0004642874.tif 000002
【図２】
0004642874.tif 000003
【図３】
0004642874.tif 000004
【図４】
0004642874.tif 000005
【図５】
0004642874.tif 000006
【図６】
0004642874.tif 000007
【図７】
0004642874.tif 000008
【図８】
0004642874.tif 000009